(57)【要約】      （修正有）【課題】蓋板を背板に交換可能に取付けることができるランドセルを提供する。【解決手段】主収容室と副収容室と前ポケットを有したランドセル本体２と、ランドセル本体の上面全体を覆う蓋板４と、ランドセル本体２を背負う背負ベルトとからなるランドセルにおいて、ランドセル本体２を構成する背板６の上端と、蓋板４の一端とを着脱可能に取付ける連結留具１０は、背板６の上方に取付ける狭着部を先方に有した一対の支持軸部１１と、支持軸部に一対の連結孔を着脱可能に挿通した蓋板４と、蓋体を支持軸部に狭着支持する吊下ベルト８の両端に連結する接続部と、支持軸部１１に挿通した蓋板４を狭着支持する連結部とを有した一対の第１連結留部とからなることを特徴とする。【選択図】図２
0003220765.tif 000002
【実用新案登録請求の範囲】
【請求項１】
主収容室と副収容室と前ポケットを有したランドセル本体（２）と、該ランドセル本体の上面全体を覆う蓋板（４）と、前記ランドセル本体（２）を背負う背負ベルト（９）とからなるランドセル（１）において、
前記ランドセル本体（２）を構成する背板（６）の上端と、前記蓋板（４）の一端とを連結留具（１０）を介して着脱可能に取付けてなることを特徴とするランドセル。
【請求項２】
前記蓋板（４）は、上方左右両側に前記背板（６）に設けた一対の支持軸部（１１）と合致する位置に一対の連結孔（５）を設けてなることを特徴とする請求項１記載のランドセル。
【請求項３】
前記連結留具（１０）は、背板（６）の上方に取付けた少なくとも１以上の支持軸部（１１）と、該支持軸部に着脱可能に挿通した蓋板（４）を狭着支持する少なくとも１以上の第１または第２連結留部（２１ａ、２１ｂ）とからなることを特徴とする請求項１記載のランドセル。
【請求項４】
前記支持軸部（１１）は、先方を異径に形成した狭着部（１４）を有した一対の軸部（１２）を背板（６）の上方外側左右に突出して取付けてなることを特徴とする請求項３記載のランドセル。
【請求項５】
前記第１連結留部（２１ａ）は、吊下ベルト（８）の端部に連結する接続部（２２）と、前記支持軸部（１１）に挿通した蓋板（４）を狭着支持する連結部（２７）とからなり、前記接続部（２２）は、前記吊下ベルト（８）の端部を連結固定する溝部（２３）を設け、該溝部に装着した吊下ベルト（８）の端部を固定鋲（４６）で連結固定し、前記連結部（２７）は、支持軸部（１１）を挿通する挿通孔（２８）と、該挿通孔の一側に前記支持軸部（１１）の狭着部（１４）を挟持するロック孔（２９）を連通して設け、前記挿通孔（２８）の反対側にロック孔（２９）に挟着した狭着部（１４）を押圧ロックする可撓性を有した押圧体（３５）を取付けてなることを特徴とする請求項３記載のランドセル。
【請求項６】
前記押圧体（３５）は、ゴム材または可撓性を有する軟質合成樹脂材からなり、前記挿通孔（２８）に被せる表面部（３６）の下面に前記挿通孔（２８）に嵌合する係止凸部（３７）を設け、該係止凸部の先端に前記支持軸部（１１）の狭着部（１４）を押圧する押当部（３８）と、前記支持軸部（１１）の先端周縁を支持する半月凹部（３９）を設け、前記係止凸部（３７）の裏面にＵ溝部（４０）を形成し、前記押圧体（３５）の後端で、一端を前記第１連結部（２１ａ）の接続部（２２）に取付けた折り曲げ可能な可撓性を有する折曲帯部（４１）を一体に設けてなることを特徴とする請求項５記載のランドセル。
【請求項７】
前記第２連結留部（２１ｂ）は、保持部（４３）の一側に段部（４４）を介して連結部（２７ｂ）を一体に形成し、該連結部の中央に前記支持軸部（１１）を嵌挿する挿通孔（２８）を設け、該挿通孔の一側に前記支持軸部（１１）の狭着部（１４）を挟持するロック孔（２９）を連通して形成し、前記挿通孔（２８）の反対側で、前記ロック孔（２９）に挟持した狭着部（１４）を押圧ロックする可撓性を有した押圧体（３５）とからなることを特徴とする請求項３記載のランドセル。  
【請求項８】
前記第２連結留部（２１ｂ）は、蓋板（４ｂ）の上方左右両側で背板（６）に取付けた一対の支持軸部（１１）と合致する位置にそれぞれ取付けてなり、前記第２連結留部（２１ｂ）の挿通孔（２８）を背板（６）の支持軸部（１１）に嵌挿した後、蓋板（４ｂ）をスライドさせて支持軸部（１１）を挿通孔（２８）からロック孔（２９）に移動させて支持軸部（１１）の狭着部（１４）をロック孔（２９）に挟持させ、次いで、前記挿通孔（２８）に押圧体（３５）を嵌合させて前記蓋板（４ｂ）を背板（６）の上方に着脱可能に取付けてなることを特徴とする請求項３または７記載のランドセル。
【考案の詳細な説明】
【技術分野】
【０００１】
本考案は、学童用ランドセルの改良に関する。
【背景技術】
【０００２】
従来、学童用ランドセルは、天然皮革または合成皮革などにより形成されたランドセル本体と、該ランドセル本体の上面全体を覆う蓋板（かぶせ）と、ランドセル本体を背負う背負いベルトとにより構成されている。前記ランドセル本体は、教科書やノートなどを収納する主収納室と、各種教材などを収容する副収納室と各種小物などを収納する前ポケットとにより構成され、上方開口部に前記蓋板を開閉可能に被せて収容物の落下と雨水に濡れるのを防止している。
【０００３】
この、蓋板は、一端を背板の上端に縫着固定して取付け、主収納室と副収納室および前ポケットを覆ってランドセル本体の底面に取付けた留め金具に他端を着脱可能に取付けてある。そのため、ランドセルの蓋板は、毎日何度も開閉するため汚れが付着し、また、通学時の悪戯や遊びなどでぶつけるため傷つきやすく、経年劣化が早かった。さらには、蓋板の表面に落書きしたりワッペンやシールを張ったりするため、糊の跡やシミが残ったりしやすい。したがって、蓋板の表面にはこの汚れが残ったまま、または、傷ついたままのランドセルを６年間使用せざるを得なかった。
【０００４】
さらには、昨今は、ランドセルのファッション化が進み、様々な色や形状のランドセルが市販され、特に蓋板の表面に施される色や装飾模様は低学年の学童の注意を喚起する斬新なものが多くなっている。しかし、特に女子は、低学年のときは煌びやかな装飾模様の蓋板が好まれるが、高学年になると前記装飾模様の蓋板のランドセルが似合わなくなる。そのため、無地の蓋板や傷ついたり汚れたりしたランドセルの蓋板を着脱可能で交換可能にしたランドセルが広く知られている（特許文献１、２）。
【先行技術文献】
【特許文献】
【０００５】
【特許文献１】特開２００９−６０９２４号
【特許文献２】特開２００９−２４７８４３号
【０００６】
しかし、蓋板を着脱可能に取付けた前者のランドセルは、蓋板をランドセルの背板に取付けるための連結手段が、着脱手段３を設けて連結するとのみ記載し、具体的な着脱手段が記載されておらず回転錠、スナップボタン、螺子などと抽象的に記載されているが、具体的な着脱手段が記載されていないため、発明を構成していない。
【０００７】
後者の蓋板を着脱可能に取付けたランドセルは、留め金具を介して着脱自在に取付けてある。と記載されているが、留金具はスナップボタンとあるが、そのスナップボタンの構成が記載されていない。さらには、面テープまたはホックでもよい。と記載されているが具体的な構成がなく、発明を構成していない。
【０００８】
そのため、ランドセルの蓋体を着脱可能に取付けるようにしたアイデアは表現されているが、その具体的な着脱手段または留金具の構成がないため発明を開示したものとは認め難い。さらには、前記した着脱手段および留め金具は、着脱可能に形成してあるが、外れ防止用のロック手段について何ら開示されていない。そのため、乱暴に取り扱うランドセルは、長年の使用により脱手段および留め金具が外れやすく、使用中に蓋板がランドセルから外れてしまうという問題点を有している。
【考案の概要】
【考案が解決しようとする課題】
【０００９】
そこで、本考案はランドセル本体を覆う蓋板の上端を背板の上端にロック手段を有する連結留具を取付けたことにより、背板に取付ける蓋板を安全確実に着脱可能にし、且つ、蓋板を交換可能にしたことによりランドセルを長持ちさせることができると共に、ランドセルの製造コストの軽減を図ることを目的とするものである。
【課題を解決するための手段】
【００１０】
上記課題を達成するため本考案は、主収容室と副収容室と前ポケットを有したランドセル本体２と、該ランドセル本体の上面全体を覆う蓋板４と、前記ランドセル本体２を背負う背負ベルト９とからなるランドセル１において、前記ランドセル本体２を構成する背板６の上端と、前記蓋板４の一端とを連結留具１０を介して着脱可能に取付けてなることを特徴とする。また、前記蓋板４は、上方左右両側に前記背板６に設けた一対の支持軸部１１と合致する位置に一対の連結孔５を設けてなることを特徴とする。さらには、前記連結留具１０は、背板６の上方に取付けた少なくとも１以上の支持軸部１１と、該支持軸部に着脱可能に挿通した蓋板４を狭着支持する少なくとも１以上の第１または第２連結留部２１ａ、２１ｂとからなることを特徴とする。さらにはまた、前記支持軸部１１は、先方を異径に形成した狭着部１４を有した一対の軸部１２を背板６の上方外側左右に突出して取付けてなることを特徴とする。また、前記第１連結留部２１ａは、吊下ベルト８の端部に連結する接続部２２と、前記支持軸部１１に着脱可能に挿通した蓋板４を狭着支持する連結部２７とからなり、前記接続部２２は、前記吊下ベルト８の端部を連結固定する溝部２３を設け、該溝部に装着した吊下ベルト８の端部を固定鋲４６で連結固定し、前記連結部２７は、支持軸部１１に挿通する挿通孔２８と、該挿通孔の一側に前記支持軸部１１の狭着部１４を挟持するロック孔２９を連通して設け、前記挿通孔２８の反対側にロック孔２９に挟着した狭着部１４を押圧ロックする可撓性を有した押圧体３５を取付けてなることを特徴とする。さらには、前記押圧体３５は、ゴム材または可撓性を有する軟質合成樹脂材からなり、前記挿通孔２８に被せる表面部３６の下面に前記挿通孔２８に嵌合する係止凸部３７を設け、該係止凸部の先端に前記支持軸部１１の狭着部１４を押圧する押当部３８と、前記支持軸部１１の先端周縁を支持する半月凹部３９を設け、前記係止凸部３７の裏面にＵ溝部４０を形成し、前記押圧体３５の後端で、一端を前記第１連結部２１ａの接続部２２に取付けた折り曲げ可能な可撓性を有する折曲帯部４１を一体に設けてなることを特徴とする。さらにはまた、前記第２連結留部２１ｂは、一側に設けた保持部４３の中央に段部４４を介して連結部２７ｂを一体に形成し、該連結部の中央に前記支持軸部１１に挿通する挿通孔２８を設け、該挿通孔の一側に前記支持軸部１１の狭着部１４を挟持するロック孔２９を連通して形成し、前記挿通孔２８の反対側で、前記ロック孔２９に挟持した狭着部１４を押圧ロックする可撓性を有した押圧体３５とからなることを特徴とする。また、前記第２連結留部２１ｂは、蓋板４ｂの上方左右両側で背板６に取付けた一対の支持軸部１１と合致する位置にそれぞれ取付けてなり、前記第２連結留部２１ｂの挿通孔２８を背板６の支持軸部１１に嵌挿した後、蓋板４ｂをスライドさせて支持軸部１１を挿通孔２８からロック孔２９に移動させて支持軸部１１の狭着部１４をロック孔２９に挟持させ、次いで、前記挿通孔２８に押圧体３５を嵌合させて前記蓋板４ｂを背板６の上方に着脱可能に取付けてなることを特徴とする。
【００１１】
したがって、複数の交換用蓋板を備え、ランドセル１の背板６に蓋体４を連結留具１０で前記蓋板４を交換可能に取付けたことにより、経年変化により傷んだ蓋板４、或いはシールの張付け落書きで汚れた蓋板４、さらには、高学年になって蓋板模様が似合わなくなった蓋板などを交換することができる。また、蓋板４の表面柄や表面の色が異なる複数の蓋板４を備え、その日の気分や学校へ着ていく洋服、または季節に合わせた柄や色の蓋体を取付けて行くことにより、自分だけのオリジナルランドセルに変身させることができる。さらには、男女の兄弟間ではランドセルのお下がりができなかったが、ランドセル本体の色を男女兼用が可能な色にした場合、蓋板５を交換するだけで男女いずれのランドセルにも変身させることができる。また、連結留具１０は、ロック手段を設けてあることから、使用中にランドセル１から蓋板５が外れるおそれがなく安全に使用することができる。
【図面の簡単な説明】
【００１２】
【図１】本考案にかかる吊下ベルトに連結した第１連結留部でランドセルの背板に蓋板を取付けた実施形態を示す斜視図である。
【図２】吊下ベルトに取付けた第１連結留部で蓋板を背板に取付けた状態を示す一部破断した正面図である。
【図３】蓋板の一部破断した正面図である。
【図４】背板に取付けた支持軸部の要部拡大斜視図である。
【図５】背板に取付けた支持軸部の要部拡大断面図である。
【図６】第１連結留部の斜視図である。
【図７】第１連結留部の側面図である。
【図８】押圧体を捲った第１連結留部の正面図である。
【図９】吊下ベルトに取付けた第１連結留部の斜視図である。
【図１０】吊下ベルトに取付けた第１連結留部の底面図である。
【図１１】背板の支持軸部に蓋板の連結孔を挿入した状態の要部拡大正面図である。
【図１２】背板の支持軸部に挿入した蓋板の上から支持軸部に第１連結留部の挿通孔を被せた状態の要部拡大正面図である。
【図１３】蓋板の上から第１連結留部を矢印方向に移動させて支持軸部の狭着部にロック孔を挟持させた状態の要部拡大正面図である。
【図１４】第１連結留部のロック孔に挟持させた支持軸部の狭着部を押圧体でロックした状態を示す要部拡大正面図である。
【図１５】図１４のＡ―Ａ線断面図である。
【図１６】ロック孔に挟持させた支持軸部の狭着部を押圧体の押当部でロックした状態を示す要部拡大断面図である。
【図１７】第２連結留部の斜視図である。
【図１８】第２連結留部の押圧体を捲り上げた状態を示す斜視図である。
【図１９】第２連結留部を取付けた蓋体を背板の支持軸部に嵌挿した状態を示す一部破断した正面図である。
【図２０】蓋体の第２連結留部と背板の支持軸部とを連結した状態を示す要部拡大図である。
【考案を実施するための最良の形態】
【００１３】
本考案の実施の形態を図面に基づいて説明すると、図１は本考案にかかる吊下ベルトに連結した第１連結留部でランドセルの背板に蓋板を取付けた実施形態を示す斜視図、図２は吊下ベルトに取付けた第１連結留部で蓋板を背板に取付けた状態を示す一部破断した正面図、図３は蓋板の一部破断した正面図、図４は背板に取付けた支持軸部の要部拡大斜視図、図５は背板に取付けた支持軸部の要部拡大断面図、図６は第１連結留部の斜視図、図７は第１連結留部の側面図、図８は押圧体を捲った第１連結留部の正面図、図９は吊下ベルトに取付けた第１連結留部の斜視図、図１０は吊下ベルトに取付けた第１連結留部の底面図である。ランドセル１は、背板６の背面側に位置する主収容室、副収容室、前ポケットとからなるランドセル本体２と、このランドセル本体２を覆う蓋板４と、ランドセル本体２を背負う一対の背負ベルト９とから構成され、前記背板６の上方に蓋板４を連結留具１０で着脱可能に取付けてある。
【００１４】
前記蓋板４は、一端に前記背板６に取付けた支持軸部１１と合致する位置に複数の連結孔５を設けてある。前記蓋板４に設けた連結孔５は、連結孔５の劣化及び広がりを防止する補強芯板（図示せず）と内周縁の広がりを防止する金属製のはとめなどからなる補強環５ａを取付けてある。
【００１５】
前記連結留具１０は、図２、４、６に示すごとく、前記ランドセル本体２の背板６の上端に取付ける支持軸部１１と、該支持軸部に装着した蓋板４を着脱可能に固着する第１連結留部２１ａとにより構成してある。
【００１６】
前記支持軸部１１は、図４、５に示すごとく、背板６の上方に少なくとも２〜５、好ましくは、２個の支持軸部１１を取付け、軸部１２の基部に設けた係止鍔部１３と、略先端を異径に形成した狭着部１４とを一体に形成してなり、軸部１２の中央軸心方向に設けたピン孔１５に先端側から挿入した固定ピン１６と、背板６の内側から支持する取付鋲１７とを強固に連結固定して支持軸部１１を取付けてある。
【００１７】
前記第１連結留部２１ａは、図６〜図９に示すごとく、ランドセル１の吊下ベルト８の端部に連結する接続部２２と、前記支持軸部１１に着脱可能に挿通した蓋板４を狭着支持する連結部２７とからなり、該連結部と接続部２２は、クランク型に形成した段部２６を介して接続部２２より一段下方に連結部２７を設けてある。
【００１８】
前記第１連結留部２１ａの接続部２２は、一端に吊下げベルト８の端部を連結固定する溝部２３と、該溝部に装着する吊下げベルト８の端部を垂直方向から連結固定する固定鋲４６を挿通する軸孔２４を設けてある。
【００１９】
前記連結部２７は、図６、８に示すごとく、中央に支持軸部１１を嵌挿する挿通孔２８と、該挿通孔の一側に前記支持軸部１１の狭着部１４を挟持するロック孔２９を連通して設け、前記挿通孔２８の反対側に狭幅のガイド溝３１と凹溝部３２と前記段部２６の中央に設けたガイド溝３１とを連通した通帯溝部３３を設けてある。
【００２０】
前記通帯溝部３３は、押圧体３５の一端に取付けた可撓性を有した折曲帯部４１を挿通し、該折曲帯部の端部を接続部２２内に取付けたことにより、折曲帯部４１の湾曲をスムースにおこなうことができるので、押圧体３５のロック、アンロック操作を容易に行うことができる。
【００２１】
前記押圧体３５は、ゴム材または可撓性を有する軟質合成樹脂材、好ましくは、ゴム材からなり、前記挿通孔２８に被せる表面部３６の下面に前記挿通孔２８に嵌合する係止凸部３７を設け、該係止凸部の先端に前記支持軸部１１の狭着部１４を押圧する押当部３８と、支持軸部１１の先端縁部を支持する半月凹部３９を設け、裏面側に前記押当部３８と半月凹部３９を容易に可撓させるためのＵ溝部４０を設け、前記表面部３６の後端に押圧体３５全体を上方に折り曲げする可撓性を有する折曲帯部４１を一体に設け、該折曲帯部の他端を前記第１連結留部２１ａの段部２６の中央に設けた通帯溝部３３とガイド溝部３１を通って接続部２２内に取付けてある。
【００２２】
図９、１０は、ランドセル１を吊下げる吊下ベルト８の両端に前記第１連結留部２１ａの接続部２２を連結した使用状態を示すもので、第１連結留部２１ａの接続部２２の溝部２３内に吊下ベルト８の端部を挿通し、該溝部の垂直方向に設けた軸孔２４から固定鋲４６で吊下ベルト８の端部を連結固定してある。
【００２３】
この第１連結留部２１ａを両端に取付けた吊下ベルト８は、それぞれ色が異なる複数本の吊下ベルト８を用意することにより、その日の気分や学校へ着ていく洋服、または季節に合わせた柄や色の蓋体を取付けて行くことができるので、自分だけのオリジナルランドセルに変身させることができる。さらには、男女の兄弟間ではランドセルのお下がりができなかったが、ランドセル本体の色を男女兼用が可能な色にした場合、蓋板５を交換するだけで男女いずれのランドセルにも変身させることができるので大変便利である。
【００２４】
図１７、１８は、前記第１連結留部２１ａの他の実施の形態を示す第２連結留部２１ｂで、前記第１連結留部２１ａのごとく、吊下ベルト８の両側に取付けるのではなく、第２連結留部２１ｂは、前記支持軸部１１を支持ロックする連結部２７ｂと押圧体３５の一端の支持する保持部４３とからなるものである。この第２連結留部２１ｂは、吊下ベルト８に取付けるのではなく、連結部単体としたことにより、構造が簡単で部品数が少なくすることができるので、安価で経済的である。  
【００２５】
この第２連結留部２１ｂは、連結部２７ｂの一端に段部４４を介して一段高い保持部４３を一体に形成し、連結部２７ｂの中央には前記支持軸部１１に挿通する挿通孔２８と、該挿通孔の一側に前記支持軸部１１の狭着部１４を挟持するロック孔２９を連通して設け、前記挿通孔２８の反対側に設けた保持部４３の段部４４中央に狭幅のガイド溝３３と凹溝部３２とからなる通帯溝部４４を連通して設けてある。
【００２６】
前記通帯溝部４４には、前記連結部２７の挿通孔２８に嵌合してロック孔２９内に挟持させた支持軸部１１の狭着部１４を押圧ロックする押圧体３５の一端に取付けた可撓性を有した折曲帯部４１を挿通し、該折曲帯部の端部を保持部４３内に取付けたことにより、押圧体３５の折曲帯部４１を容易に可撓させることができる。前記押圧体３５は、第１連結留部２１ａに設けた押圧体３５と同一であることから、説明が重複するため、ここでの説明を省略する。
【００２７】
図１９、２０は、前記第２連結留部２１ｂの他の実施の形態を示すもので、蓋板４ｂの上端で前記背板６の上方左右両側に設けた一対の支持軸部１１と合致する位置に第２連結留部２１ｂを取付けある。したがって、蓋板４に直接第２連結留部２１ｂを取付けることにより、ランドセルを構成する部品数が少なく安価で経済的であると共にランドセルの軽量化を図ることができる。
【００２８】
前記蓋板４に取付けた第２連結留部２１ｂと背板に取付けた支持軸部１１との連結は、第２連結留部２１ｂの連結部２７ｂに設けた挿通孔２８を前記背板６の支持軸部１１に嵌挿し、次いで蓋板４ｂをスライドさせて支持軸部１１を挿通孔２８からロック孔２９に移動させて支持軸部１１の狭着部１４をロック孔２９に挟持させ、さらには前記挿通孔２８に押圧体３５を嵌合（ロック）させて前記蓋板４ｂを背板６の上方に着脱可能に取付けることができる。
【００２９】
蓋板４ｂの取り外しは、第２連結留部２１ｂの押圧体３５を挿通孔２８から抜き、次いで、蓋板４ｂをスライドさせて支持軸部１１をロック孔２９から挿通孔２８に移動させて引き抜くことにより簡単に取り外すことができる。
【００３０】
以下、連結留具１０を取付けたランドセ１の実施の形態の作用について説明すると、ランドセル１を吊下げる吊下げベルト８の両端に取付けた第１連結留部２１ａを有した連結留具１０を使用して蓋板５をランドセル１の背板６に着脱可能に取付ける場合、図１１〜１５に示すごとく、背板６の外側に突出した支持軸部１１に蓋板４の連結孔５をそれぞれ嵌合する（図１１）。次いで、吊下ベルト８の両端に取付けた第１連結留部２１ａの連結部２７に設けた挿通孔２８を前記蓋板４の外側から支持軸部１１に嵌挿すると挿通孔２８の上面に位置する押圧体３５が支持軸部１１に押されて上方へ湾曲する（図１２）。次いで、第１連結留部２１ａを図１３に示す矢印方向にスライドさせてロック孔２９を支持軸部１１の狭着部１４に嵌合挟持させる（図１３）。さらに嵌合挟持された狭着部１４を挿通孔２８方向へ戻るのを防止するため、該挿通孔に押圧体３５を嵌合(ロック)する（図１４）。
【００３１】
前記押圧体３５の嵌合（ロック）は、図１５、１６に示すごとく、先端に設けた押当部３８が支持軸部１１の狭着部１４を側面から押圧し、支持軸部１１の先端周縁を半月凹部３９に嵌合すると共に、係止凸部３７を挿通孔２８に嵌合することによりロックする。
【００３２】
したがって、ランドセル１に外部からの衝撃や振動などが加わっても、押圧体３５は係止凸部３７が挿通孔２８に嵌合し、支持軸部１１の先端周縁を半月凹部３９に嵌合させ、押当部３８で支持軸部１１の狭着部１４を押圧するため、押圧体３５が挿通孔２８から抜けるのを防止することができる。
【００３３】
さらには、蓋体４や第１連結留部２１ａを連結した吊下ベルト８を複数用意することにより、経年変化や傷つき等により劣化した蓋体４や吊下ベルト８を容易に着脱交換することができるので、ランドセルを長持ちさせることができ便利である。また、長期間使用しても支持軸部１１から第１連結留部２１ａが脱落することなく安全に使用することができる。
【００３４】
さらにはまた、多種多様な表面柄や表面の色が異なる複数の蓋板５を備えることにより、その日の気分や学校へ着ていく洋服、または季節に合わせた柄や色の蓋体を取付けて行くことができるので、自分だけのオリジナルランドセルに変身させることができる。さらには、男女の兄弟間ではランドセルのお下がりができなかったが、ランドセル本体の色を男女兼用が可能な色にした場合、蓋板５を交換するだけで男女いずれのランドセルにも変身させることができるので大変便利である。
【００３５】
連結留具１０を解除する場合、支持軸部１１をロックしている第１連結留部２１ａの押圧体３５の表面部３６先端側を上方に捲り上げると、支持軸部１１の狭着部１４を押圧している押当部３８と半月凹部３９がそれぞれ支持軸部１１と狭着部１４から外れると共に、係止凸部３７が挿通孔２８から外れることにより、支持軸部１１の狭着部１４が挿通孔２８方向に移動可能となる。
【００３６】
次いで、第１連結留部２１ａを図１３に示す矢印方向と反対方向に移動させると、狭着部１４がロック孔２９から外れて挿通孔２８内に移動させた後、第１連結留部２１を上方に引き抜くことにより、第１連結留部２１ａを支持軸部１１から離脱させてロックを簡単に解除することができる。
【００３７】
図１７、１８に示す第２連結留部２１ｂは、吊下げベルト８に連結するのではなく、連結留部単体で支持軸部１１に着脱可能に留めることができ、連結部２７ｂは、一側に段部４４を介して一段高い保持部４３と一体に形成してある。
【００３８】
前記連結部２７ｂの中央に前記支持軸部１１に挿通する挿通孔２８と、該挿通孔の一側に前記支持軸部１１の狭着部１４を挟持するロック孔２９を連通して設け、前記挿通孔２８の反対側の段部４４中央に狭幅のガイド溝部３１と凹溝部３２とかなる通帯溝部３３を連通して設けてある。したがって、第２連結留部２１ｂは、構造が簡単で部品数が少ないことから安価で経済的である。
【００３９】
前記通帯溝部３３は、押圧体３５の一端に取付けた可撓性を有した折曲帯部４１を挿通し、該折曲帯部の端部を保持部４３内に係止して取付けたことにより、折曲帯部４１の湾曲をスムースにおこなうことができるので、押圧体３５のロック、アンロック操作を容易に行うことができる。この第２連結留部２１ｂと押圧体３５の作用は、前記した第１連結留部２１ａと同一であることから、説明が重複するため、ここでの説明を省略する。
【００４０】
図１９、２０に示す、前記背板６の上方左右両側に設けた一対の支持軸部１１と合致する位置の蓋板４ｂの上端に第２連結留部２１ｂを取付けることにより、蓋板４ｂを直接支持軸部１１に取付けることができるので着脱操作の手間が少なく効率的に行うことができる。装着操作は、第２連結留部２１ｂの連結部２７ｂに設けた挿通孔２８に前記背板６の支持軸部１１を嵌挿し、次いで、蓋板４ｂをスライドさせて支持軸部１１の狭着部１４をロック孔２９に嵌合させた後、前記押圧体３５の係止凸部３７を挿通孔２８に嵌合（ロック）させることにより、背板６の上方に簡単に蓋板４を着脱可能に取付けることができる。
【符号の説明】
【００４１】
１    ランドセル
２    ランドセル本体
４    蓋板
５    連結孔
６    背板
７    背環
８    吊下ベルト
９    背負ベルト
１０    連結留具
１１    支持軸部
１２    軸部
１３    係止鍔部
１４    狭着部
１５    ピン孔
１６    固定ピン
１７    連結鋲
２１ａ  第１連結留部
２１ｂ  第２連結留部
２２    接続部
２３    溝部
２４    鋲孔
２６    段部
２７    連結部
２８    挿通孔
２９    ロック孔
３１    ガイド溝部
３２    凹溝部
３３    通帯溝部
３５    押圧体
３６    表面部
３７    係止凸部
３８    押当部
３９    半月凹部
４０    Ｕ溝部
４１    折曲帯部
４３    保持部
４４    通帯溝部
４６    固定鋲
【図１】
0003220765.tif 000003
【図２】
0003220765.tif 000004
【図３】
0003220765.tif 000005
【図４】
0003220765.tif 000006
【図５】
0003220765.tif 000007
【図６】
0003220765.tif 000008
【図７】
0003220765.tif 000009
【図８】
0003220765.tif 000010
【図９】
0003220765.tif 000011
【図１０】
0003220765.tif 000012
【図１１】
0003220765.tif 000013
【図１２】
0003220765.tif 000014
【図１３】
0003220765.tif 000015
【図１４】
0003220765.tif 000016
【図１５】
0003220765.tif 000017
【図１６】
0003220765.tif 000018
【図１７】
0003220765.tif 000019
【図１８】
0003220765.tif 000020
【図１９】
0003220765.tif 000021
【図２０】
0003220765.tif 000022
【手続補正書】
【提出日】平成31年1月30日(2019.1.30)
【手続補正１】
【補正対象書類名】実用新案登録請求の範囲
【補正対象項目名】請求項６
【補正方法】変更
【補正の内容】
【請求項６】
前記押圧体（３５）は、ゴム材または可撓性を有する軟質合成樹脂材からなり、前記挿通孔（２８）に被せる表面部（３６）の下面に前記挿通孔（２８）に嵌合する係止凸部（３７）を設け、該係止凸部の先端に前記支持軸部（１１）の狭着部（１４）を押圧する押当部（３８）と、前記支持軸部（１１）の先端周縁を支持する半月凹部（３９）を設け、前記係止凸部（３７）の裏面にＵ溝部（４０）を形成し、前記押圧体（３５）の後端で、一端を前記第１連結留部（２１ａ）の接続部（２２）に取付けた折り曲げ可能な可撓性を有する折曲帯部（４１）を一体に設けてなることを特徴とする請求項５記載のランドセル。
以上